(57)【特許請求の範囲】
【請求項１】
ねじ部が上部に形成され、下端部がテーパ状に拡径されたテーパボルトと、このテーパボルトが挿入された筒状スリーブとを穿孔内に挿入して、前記スリーブのリップ部を開脚させて前記穿孔との摩擦抵抗で前記穿孔に固着させるアンカーボルトの固着装置において、
前記穿孔に挿入された前記スリーブの上端に当接し、前記テーパボルトが挿通されるとともに、前記穿孔に挿入される小径部と、前記穿孔の内径より大きいつば部と、前記筒体に挿入される他の小径部とから構成し、複数の外径を有する段付構造とした座金と、
下端部が前記テーパボルトのねじ部と螺合し、軸方向に延びる雄ねじ部が上部に形成され、径方向へ突出するピンを有する移動体と、
この移動体が挿入され、前記座金に下端が当接し、前記ピンを案内する長孔が軸方向に形成される筒体と、
この筒体の上端に当接し、前記雄ねじ部に螺合するナット体とを備え、
このナット体を締め込むことにより前記移動体を介して前記テーパボルトを引き上げ、前記スリーブのリップ部を開脚させるようにしたことを特徴とするアンカーボルトの固着装置。
【請求項２】
前記筒体の外周部に取っ手を設けるとともに、前記筒体の長孔の近傍および前記移動体の少なくとも一方に前記テーパボルトの移動量を示す目盛り部を設けたことを特徴とする請求項１記載のアンカーボルトの固着装置。
【発明の詳細な説明】
【０００１】
【発明の属する技術分野】
本発明は、コンクリート床などに設けた穿孔に取付けられるアンカーボルトの固着装置に関する。
【０００２】
【従来の技術】
一般に、コンクリート床に固着されるアンカーボルトは、ねじ部が上部に形成され、下端部がテーパ状に拡径されたテーパボルトと、このテーパボルトが挿入され、軸方向に延びる複数の開脚可能なリップ部が下端部に形成された筒状スリーブとからなっている。
【０００３】
従来、上記のようなアンカーボルトをコンクリート床に施工する際、まず穿孔ドリルを用いてコンクリート床に穿孔を設けて、この穿孔内にアンカーボルトを挿入し、このアンカーボルトのスリーブに専用打ち込み工具を当ててハンマで打ち込むようになっていた。この従来の方法では、ハンマの打撃音が作業場所全体に響き渡り騒音と振動による環境の悪化を招くため、既存の集合住宅などのリニューアル工事でのアンカーボルト施工で居住者の生活に多大な迷惑を及ぼしたり、近隣住民から苦情を生じていた。
【０００４】
そこで上記のようなアンカーボルト施工時の低騒音化を図るため、例えば特開平１０−２４４４７６号公報に記載されているように、油圧発生装置により駆動される油圧シリンダ・ピストン機構を有し、この油圧シリンダ・ピストン機構と一体的にアダプタを構成したアンカーボルトの固着装置が提案されている。この従来の固着装置では、アダプタが側面に開口部を有するとともに、ピストンロッドの進退路延長上に互いに少なくともピストンロッドの進退量より大きい離隔距離をもってそれぞれ配置された中間嵌合部と底面嵌合部とを備えており、これらのうち中間嵌合部は、前記の開口部に連続し、かつテーパボルトに側方から嵌合可能な切欠き状に形成されるとともに、底面嵌合部は、前記の開口部に連続し、かつスリーブに側方から嵌合可能な切欠き状に形成されている。また、これらの中間嵌合部と底面嵌合部との間には、ピストンロッドに連続して移動可能に保持し、かつスリーブの上端面に当接する嵌合部を形成した押下盤を配置した。
【０００５】
【発明が解決しようとする課題】
ところで、上述した従来のアンカーボルトの固着装置にあっては、油圧装置を用いているため、重量が比較的大きく運搬が難しいとともに高価になるという問題があった。また、油圧シリンダ・ピストン機構の移動量を管理しない場合、リップ部の開脚不足によりアンカーボルトの固着強度が不足したり、リップ部の開脚過多により穿孔やアンカーボルトが破損するという懸念があった。
【０００６】
本発明は、上記のような従来における実情に鑑みてなされたもので、その主な目的は、アンカーボルト施工時の騒音を低減できるとともに、小型軽量でかつ安価なアンカーボルトの固着装置を提供することにある。また、その他の目的は、アンカーボルトの固着強度を容易に管理することのできるアンカーボルトの固着装置を提供することにある。
【０００７】
【課題を解決するための手段】
上記主な目的を達成するため、本発明の請求項１に係る発明は、ねじ部が上部に形成され、下端部がテーパ状に拡径されたテーパボルトと、このテーパボルトが挿入された筒状スリーブとを穿孔内に挿入して、前記スリーブのリップ部を開脚させて前記穿孔との摩擦抵抗で前記穿孔に固着させるアンカーボルトの固着装置において、前記穿孔に挿入された前記スリーブの上端に当接し、前記テーパボルトが挿通されるとともに、前記穿孔に挿入される小径部と、前記穿孔の内径より大きいつば部と、前記筒体に挿入される他の小径部とから構成し、複数の外径を有する段付構造とした座金と、下端部が前記テーパボルトのねじ部と螺合し、軸方向に延びる雄ねじ部が上部に形成され、径方向へ突出するピンを有する移動体と、この移動体が挿入され、前記座金に下端が当接し、前記ピンを案内する長孔が軸方向に形成される筒体と、この筒体の上端に当接し、前記雄ねじ部に螺合するナット体とを備え、このナット体を締め込むことにより前記移動体を介して前記テーパボルトを引き上げ、前記スリーブのリップ部を開脚させるようにした構成にしてある。
【０００８】
このように構成した本発明の請求項１に係る発明では、テーパボルト、およびこのテーパボルトが挿入された筒状スリーブを穿孔内に差し込み、座金をテーパボルトのねじ部に挿入するとともに穿孔の縁部上に載置するとともに、テーパボルトのねじ部に移動体の下端部を螺合させ、この移動体のピンを筒体の長孔に係合させた状態で移動体を筒体に挿入して、この筒体を前記の座金上に載置する。次いで、前記の移動体の雄ねじ部にナット体を螺合させて、このナット体を筒体上に載置し、ナット体を締め込むことにより、移動体のピンが筒体の長孔に案内される状態で移動体が上昇して、テーパボルトが引き上げられる。このとき、スリーブ上に座金が当接するとともに、この座金上に筒体が載置されているのでスリーブの上昇が抑制され、一方、上述したようにテーパボルトが上昇するので、このテーパボルトのテーパ状に拡径された部分の押圧によりスリーブのリップ部が開脚される。これにより、アンカーボルト施工時の騒音を低減できるとともに、油圧装置を要せずに済み、小型軽量でかつ安価なアンカーボルトの固着装置が得られる。また、座金を複数の外径を有する段付構造としたため、座金を穿孔からずれることなく確実に装着できるとともに、座金上に筒体をずれることなく確実に装着できるので、固着装置のセット作業を容易に行なえる。
【０００９】
また、上記他の目的を達成するため、本発明の請求項２に係る発明は、請求項１に係る発明において、前記筒体の外周部に取っ手を設けるとともに、前記筒体の長孔の近傍および前記移動体の少なくとも一方に前記テーパボルトの移動量を示す目盛り部を設けた構成にしてある。
【００１０】
このように構成した本発明の請求項２に係る発明では、筒体の長孔の近傍および移動体の少なくとも一方に設けた目盛り部でテーパボルトの移動量が示されるので、この移動量を確認することによりアンカーボルトの固着強度を容易に管理することができる。
【００１１】
【発明の実施の形態】
以下、本発明のアンカーボルトの固着装置の実施の形態を図に基づいて説明する。
【００１２】
図１は本発明の一実施形態に係るアンカーボルトの固着装置を示す説明図、図２は本実施形態によりアンカーボルトを固着させた状態を示す説明図、図３は本実施形態に設けられる座金の斜視図、図４は本実施形態に設けられる移動体の斜視図、図５は本実施形態に設けられる筒体の斜視図である。
【００１３】
図１に示すエレベータ機械室のコンクリート床１には、図示しない低騒音、低振動の穿孔ドリルで穿孔２が設けられており、この穿孔２に固着されるアンカーボルト３は、テーパボルト３Ａと、このテーパボルト３Ａが挿入される筒状スリーブ３Ｂとからなっている。テーパボルト３Ａは、ねじ部３Ａａが上部に形成され、下端部がテーパ状に拡径されており、スリーブ３Ｂの下端部には、軸方向に延びる複数のスリット３Ｂbが設けられ、これらのスリット３Ｂb間に径方向へ開脚可能なリップ部３Ｂａが形成されている。
【００１４】
そして、本実施形態のアンカーボルト３の固着装置４は、複数の外径を有する段付き座金５と、テーパボルト３Ａのねじ部３Ａａに下端部が螺合する移動体６と、この移動体６が挿入されるとともに、座金５上に下端が当接する筒体７と、この筒体７の上端に当接し、移動体６の上部に螺合するナット体８とから構成されている。
【００１５】
座金５は、図３に示すように、テーパボルト３Ａのねじ部３Ａａの直径よりやや大きい直径の貫通孔５Ａを有するとともに、穿孔２の内径よりやや小径で、穿孔２に挿入される小径部５Ｂと、穿孔２の内径より大きく穿孔２の縁部上に載置されるつば部５Ｃと、筒体７の内径よりやや小径で、筒体７に挿入される他の小径部５Ｄとから構成されている。なお、これらの小径部５Ｂ、つば部５Ｃ、および他の小径部５Ｄの厚み（上下方向の寸法）は、それぞれ５ｍｍに設定されている。
【００１６】
移動体６は、図４に示すように、テーパボルト３Ａのねじ部３Ａａが螺合するねじ孔６Ｂを下端部に有し、軸方向に延びる雄ねじ部６Ａが上部に形成されており、この雄ねじ部６Ａの下方に、径方向へ突出するピン６Ｃが設けられている。ねじ孔６Ｂの深さ寸法は例えば２０ｍｍに設定されており、雄ねじ部６Ａは、削り出し加工または雄ねじ部の溶接加工により製作され、ピン６Ｃは、小径の円柱体の溶接加工または螺着により製作するようになっている。
【００１７】
筒体７には、ピン６Ｃを案内する長孔７Ａが軸方向に形成されており、この長孔７Ａの近傍にテーパボルト３Ａの移動量を示す目盛り部７Ｂが設けられ、また、この目盛り部７Ｂより反対側の筒体７の外周部に、径方向へ２０ｍｍ程度突出する突出部７Ｃ、およびこの突出部７Ｃに着脱可能に装着されるパイプ７Ｄからなる取っ手が設けられている。目盛り部７Ｂは、１ｍｍ毎に横線を刻印するか、あるいは目盛り線をあらかじめ印刷したシールを貼ることにより設けられている。
【００１８】
この実施形態の固着装置４にあっては、テーパボルト３Ａおよびスリーブ３Ｂからなる１本のアンカーボルト３をコンクリート床１の穿孔２内に固着する際、まずアンカーボルト３を穿孔２内に差し込み、コンクリート床１より突出するテーパボルト３Ａのねじ部３Ａａを座金５の貫通孔５Ａに挿入し、この座金５の小径部５Ｂを穿孔２内に差し込み、つば部５Ｃを穿孔２の縁部上に載置する。次いで、座金５の貫通孔５Ａより突出するテーパボルト３Ａのねじ部３Ａａに移動体６の下端部のねじ孔６Ｂを螺合させて手で回らなくなるまで締め込んだ後、移動体６のピン６Ｃを長孔７Ａより突出させるとともに、移動体６を筒体７に挿入した状態で、この筒体７を座金５のつば部５Ｃ上に載置し、移動体６の雄ねじ部６Ａにナット体８を螺合させて、このナット体８を筒体７上に配置する。
【００１９】
このようにして固着装置４をアンカーボルト３上にセットした後、ナット体８を手で締め込むことによりナット体８を筒体７の上端に当接させて、筒体７の突出部７Ｃに装着したパイプ７Ｄを手で持って支持することにより筒体７の共廻りを防止する。この状態でスパナ９によりナット体８を締め込むと、その反力が移動体６で生じるが移動体６のピン６Ｃが筒体７の長孔７Ａに案内されているので、移動体６が回転することなく上昇して、テーパボルト３Ａが引き上げられる。このとき、スリーブ３Ｂ上に座金５の小径部５Ｂが当接し、この座金５上に筒体７が当接しているのでスリーブ３Ｂの上昇が抑制され、一方、上述したようにテーパボルト３Ａが上昇するので、テーパボルト３Ａのテーパ状に拡径された部分の押圧によりスリーブ３Ｂのリップ部３Ｂａが径方向へ開脚される。
【００２０】
また、上記のようにナット体８を締め込む際、スリーブ３Ｂの上端が座金５の小径部５Ｂの下端に当接すると、締め込み力をやや強くしなければ移動体６が上昇しないので、この位置を目盛り部７Ｂとピン６Ｃとの位置関係で確認しておいて、この位置からの移動体６の移動量を測定して所定寸法、例えば１０ｍｍの移動でナット体８の締め込みを停止し、これにより、スリーブ３Ｂのリップ部３Ｂａの開脚度合い、すなわちアンカーボルト３の固着強度を調整する。
【００２１】
このようにして１本のアンカーボルト３をコンクリート床１の穿孔２内に固着した後、上述した固着装置４のセット手順と逆の手順で固着装置４をアンカーボルト３から取り外すようになっている。
【００２２】
このように構成した本実施形態にあっては、アンカーボルト３をコンクリート床１の穿孔２内に固着する際、ナット体８の手動回転によりテーパボルト３Ａを引き上げできるので騒音を低減できるとともに、油圧装置を要せずに済み、小型軽量でかつ安価である。
【００２３】
また、本実施形態にあっては、筒体７の長孔７Ａの近傍に設けた目盛り部７Ｂでテーパボルト３Ａの移動量が示されるので、アンカーボルト３の固着強度を容易に管理することができ、適切な固着強度を有するアンカーボルト３の取付け作業が行なえる
また、本実施形態にあっては、座金５を３段構造としたため、座金５を穿孔２からずれることなく確実に装着できるとともに、座金５上に筒体７をずれることなく確実に装着できるので、固着装置４のセット作業を容易に行なえる。
【００２４】
なお、この実施形態では、テーパボルト３Ａの移動量を示す目盛り部７Ｂを長孔７Ａの近傍に設けた場合を例示したが、この長孔７Ａの近傍の代わりに、移動体６の雄ねじ部６Ａに軸方向に延びる平面部分を設けて、この平面部分に目盛り線を刻印したり、目盛り線をあらかじめ印刷したシールを貼り付けても同様の効果が得られる。
【００２５】
さらに、この実施形態では、ナット体８の締め込みをスパナ９で行なう場合をを例示したが、このスパナ９の代わりに、トルクレンチを用いればナット体８の締め込み過ぎや締め不足を防止して一定のトルクで良好な状態でアンカーボルト３を固着できる。
【００２６】
さらに、この実施形態では、ナット体８の締め込みに伴う筒体７の共廻りを防止するため、筒体７の外周部に突出部７Ｃおよびパイプ７Ｄからなる取っ手を設けたが、この取っ手を設けることなく直接手で筒体７を把持しても良く、この場合には製作費が若干安くなるとともに、収納性が良くなる。
【００２７】
【発明の効果】
以上説明したように、本発明によれば、テーパボルトおよびスリーブからなるアンカーボルトを穿孔に固着する際、アンカーボルトを穿孔内に差し込んだ後、ナット体の手動回転により、このナット体が螺合するテーパボルトを上昇でき、したがって、アンカーボルト施工時に騒音を低減できるとともに、油圧装置を要せずに済み、小型軽量でかつ安価なアンカーボルトの固着装置が得られる。また、座金を複数の外径を有する段付構造としたため、座金を穿孔からずれることなく確実に装着できるとともに、座金上に筒体をずれることなく確実に装着できるので、固着装置のセット作業を容易に行なえるという効果が得られる。
【００２８】
また特に、本発明の請求項２に係る発明では、筒体の長孔の近傍および移動体の少なくとも一方に設けた目盛り部でテーパボルトの移動量が示されるので、アンカーボルトの固着強度を容易に管理することができ、したがって、適切な固着強度を有するアンカーボルトの取付け作業が行なえるという効果がある。
【図面の簡単な説明】
【図１】本発明の一実施形態に係るアンカーボルトの固着装置を示す説明図である。
【図２】本実施形態によりアンカーボルトを固着させた状態を示す説明図である。
【図３】本実施形態に設けられる座金の斜視図である。
【図４】本実施形態に設けられる移動体の斜視図である。
【図５】本実施形態に設けられる筒体の斜視図である。
【符号の説明】
１  コンクリート床
２  穿孔
３  アンカーボルト
３Ａ  テーパボルト
３Ａａ  ねじ部
３Ｂ  スリーブ
３Ｂａ  リップ部
３Ｂｂ  スリット
４  固着装置
５  座金
５Ａ  貫通孔
５Ｂ  小径部
５Ｃ  つば部
５Ｄ  小径部
６  移動体
６Ａ  雄ねじ部
６Ｂ  ねじ孔
６Ｃ  ピン
７  筒体
７Ａ  長孔
７Ｂ  目盛り部
７Ｃ  突出部
７Ｄ  パイプ
８  ナット体
【図１】
0003801413.tif 000002
【図２】
0003801413.tif 000003
【図３】
0003801413.tif 000004
【図４】
0003801413.tif 000005
【図５】
0003801413.tif 000006